(57)【要約】【課題】利用者の顔画像および利用者の手に属する生体情報を取得する画像取得方法および装置において、すりかわりを防止する。【解決手段】画像取得装置１０は、利用者１４の手が生体情報取得手段に配置されているか否かを判定し、前記判定において、配置されていると判定された期間のみ、利用者１４の顔画像の取得を許可する。また、前記判定において、配置されていると判定された期間のみ、利用者１４の手に属する生体情報の取得を許可する。【選択図】図１
2007323109.tif 000002
【特許請求の範囲】
【請求項１】
利用者の手に属する生体情報と前記利用者の顔画像とを取得する画像取得方法において、
前記利用者の手が生体情報取得手段に配置されているか否かを判定し、
前記判定において、配置されていると判定された期間のみ、前記利用者の顔画像の取得を許可することを特徴とする画像取得方法。
【請求項２】
前記手に属する生体情報が指紋であることを特徴とする請求項１記載の画像取得方法。
【請求項３】
利用者の手に属する生体情報を取得する生体情報取得手段と、前記利用者の顔画像を取得する顔画像取得手段とを有する画像取得装置において、
前記利用者の手が前記生体情報取得手段に配置されているか否かを判定する判定手段と、
前記判定手段により、配置されていると判定された期間のみ、前記顔画像取得手段を作動可能にする制御手段とを備えたことを特徴とする画像取得装置。
【請求項４】
前記制御手段は、前記判定手段において、配置されていると判定された期間のみ、前記生体情報取得手段を作動可能にするものであることを特徴とする請求項３記載の画像取得装置。
【請求項５】
前記判定手段はさらに、前記判定において、配置されていないと判定されたときには、配置されていないときの直前の継続して配置されていた期間に前記利用者の顔画像および前記利用者の手に属する生体情報が取得されていたか否かを判定し、
前記制御手段は、前記利用者の顔画像および前記利用者の手に属する生体情報の両方が揃って取得されていないと判定されたときには、前記利用者の顔画像および前記利用者の手に属する生体情報のいずれか一方が取得されていても該一方を無効化するものであることを特徴とする請求項３または４記載の画像取得装置。
【請求項６】
前記手に属する生体情報が指紋であることを特徴とする請求項３から５のいずれか１項記載の画像取得装置。
【発明の詳細な説明】
【技術分野】
【０００１】
本発明は、主として身分証明書や磁気カードなどの個人に帰属する書札等に添付する画像を取得する画像取得方法および装置に関するものであり、より詳細には利用者の顔画像の取得に加え、利用者の手に属する生体情報を取得する機能を有する画像取得方法および装置に関するものである。
【背景技術】
【０００２】
近年、街頭には、カメラにより被写体の撮影を行う無人の画像取得装置が設置されている。このように取得された画像は、写真プリント紙や、普通紙、シール紙等に印刷されて利用者に提供され、例えば免許証等の個人認証書類に使用される。
【０００３】
また、最近ではセキュリティ性を高めるために生体情報が個人認証に用いられるようになっており、顔写真の撮影とともに、指紋などの生体情報を取得可能な画像取得装置も提案されている（例えば特許文献１参照）。特許文献１に記載された装置では、顔画像の取得に続いて生体情報を取得し、用紙に顔写真と生体情報を印刷するようにしている。
【特許文献１】特開２００５−１４８５３７号公報
【発明の開示】
【発明が解決しようとする課題】
【０００４】
しかしながら、顔画像と生体情報を取得する際に、利用者がすりかわると、取得された顔画像と生体情報は正しい認証情報となりえない。特許文献１の装置は、顔画像の取得直後、引き続いて生体情報を取得するものであるが、取得された生体情報が利用可能なデータではないと判断された場合には、生体情報の再取得を行うようにしている。したがって、初めに生体情報を取得するときに、故意に不完全なデータを取得するようにすれば、再取得の機会を得ることができ、再取得のときに他人とすりかわって他人の生体情報を登録することができてしまう。
【０００５】
本発明は、上記の事情に鑑みてなされたものであり、利用者の顔画像および前記利用者の手に属する生体情報を取得する画像取得方法および装置において、利用者のすりかわりを防止可能な画像取得方法および装置を提供することを目的とするものである。
【課題を解決するための手段】
【０００６】
本発明の画像取得方法は、利用者の手に属する生体情報と前記利用者の顔画像とを取得する画像取得方法において、前記利用者の手が生体情報取得手段に配置されているか否かを判定し、前記判定において、配置されていると判定された期間のみ、前記利用者の顔画像の取得を許可することを特徴とするものである。
【０００７】
本発明の画像取得装置は、利用者の手に属する生体情報を取得する生体情報取得手段と、前記利用者の顔画像を取得する顔画像取得手段とを有する画像取得装置において、前記利用者の手が前記生体情報取得手段に配置されているか否かを判定する判定手段と、前記判定手段により、配置されていると判定された期間のみ、前記顔画像取得手段を作動可能にする制御手段とを備えたことを特徴とするものである。
【０００８】
上記画像取得装置において、前記制御手段は、前記判定手段において、配置されていると判定された期間のみ、前記生体情報取得手段を作動可能にするようにしてもよい。
【０００９】
また、前記判定手段はさらに、前記判定において、配置されていないと判定されたときには、配置されていないときの直前の継続して配置されていた期間に前記利用者の顔画像および前記利用者の手に属する生体情報が取得されていたか否かを判定し、前記制御手段は、前記利用者の顔画像および前記利用者の手に属する生体情報の両方が揃って取得されていないと判定されたときには、前記利用者の顔画像および前記利用者の手に属する生体情報のいずれか一方が取得されていても該一方を無効化するようにしてもよい。
【００１０】
なお、ここで「手に属する生体情報」とは、指紋、嘗紋、嘗形、指静脈パターン、手のひら静脈パターンなどである。
【００１１】
また、ここで「手が生体情報取得手段に配置されている」とは、生体情報の取得が可能な状態で、手が生体情報取得手段に配置されているという意味であり、必ずしも手全体が生体情報取得手段に配置されている必要はなく、所望の生体情報の取得が可能であれば、手の一部が配置されているだけでもよい。
【発明の効果】
【００１２】
本発明の画像取得方法は、利用者の手が生体情報取得手段に配置されているか否かを判定し、前記判定において、配置されていると判定された期間のみ、利用者の顔画像の取得を許可するようにしているため、顔画像の取得時は、必ず利用者の手は生体情報取得手段に対して拘束された状態にあり、利用者がすりかわることは極めて困難である。したがって、本発明の画像取得方法および装置によれば、顔画像を取得するときに、利用者がすりかわることを防止できる。
【００１３】
本発明の画像取得装置は、利用者の手が生体情報取得手段に配置されているか否かを判定する判定手段と、判定手段により、配置されていると判定された期間のみ、顔画像取得手段を作動可能にする制御手段とを備えているため、顔画像取得手段が作動して顔画像が取得されるときは、必ず利用者の手は生体情報取得手段に対して拘束された状態にあり、利用者がすりかわることは極めて困難である。したがって、本発明の画像取得方法および装置によれば、顔画像を取得するときに、利用者がすりかわることを防止できる。
【００１４】
さらに、前記制御手段は、前記判定手段において、配置されていると判定された期間のみ、生体情報取得手段を作動可能にするようにすれば、顔画像および手に属する生体情報が取得されるときは、必ず利用者の手は生体情報取得手段に対して拘束された状態にあるため、利用者がすりかわることを防止できる。
【００１５】
また、前記判定手段はさらに、前記判定において、配置されていないと判定されたときには、配置されていないときの直前の継続して配置されていた期間に前記利用者の顔画像および前記利用者の手に属する生体情報が取得されていたか否かを判定し、前記制御手段は、前記利用者の顔画像および前記利用者の手に属する生体情報の両方が揃って取得されていないと判定されたときには、前記利用者の顔画像および前記利用者の手に属する生体情報のいずれか一方が取得されていても該一方を無効化するようにすれば、利用者の手が生体情報取得手段に対して継続して拘束された状態で取得された顔画像および手に属する生体情報のみを有効とすることができる。すなわち、利用者がすりかわった可能性のある顔画像および手に属する生体情報を無効にし、利用者がすりかわった可能性のない顔画像および手に属する生体情報だけを有効にでき、結果として、利用者のすりかわりを防止できる。
【００１６】
ここで、前記手に属する生体情報が指紋である場合には、例えば指１本で生体情報を取得することができるため、装置を小型化できるとともに、利用者の負担を軽くできる。
【発明を実施するための最良の形態】
【００１７】
以下、図面を参照して本発明の第１の実施の形態による画像取得装置および方法について説明する。図１は本発明の第１の実施形態である画像取得装置１０の概略構成図である。本画像取得装置１０は、全体的に直方体の筐体を有し、大きさは高さ２．０ｍ、幅１．４ｍ程度である。一例として、図２に装置１０の外観を示す。図１に示すように、装置１０は幅７５ｃｍ程度の撮影室１２を含み、利用者１４は撮影室１２に設けられた椅子１６に座って撮影を行う。
【００１８】
画像取得装置１０は撮影室１２以外の部分が上段１８と、中段２０と、机部２１を有する下段２２とに分かれている。中段２０にはデジタルカメラ２４と、コントローラ３３とが設置されている。コントローラ３３は、デジタルカメラ２４の制御を含む、画像取得装置１０全体の動作を制御するとともに、画像処理等の各種処理を行うものである。デジタルカメラ２４のレンズの画角αは広く、撮影室１２の背面壁２７の高さ６０ｃｍ〜１７０ｃｍ程度の範囲をカバーする。したがって、利用者１４が椅子１６に座った時、少なくとも頭部１５および胸部１７を確実にカバーでき、利用者１４の身長に依存しない撮影が可能である。
【００１９】
上段１８には照明装置２５、ＣＲＴディスプレイ２６およびスピーカ２９が配置されている。照明装置２５、ＣＲＴディスプレイ２６およびスピーカ２９はコントローラ３３に接続されている。照明装置２５は撮影に十分な明るさを保つために撮影室１２を照らす照明であり、スピーカ２９は利用者１４に対して操作指示を音声により伝える装置である。
【００２０】
ＣＲＴディスプレイ２６は、デジタルカメラ２４により撮影されてコントローラ３３から出力される動画像および静止画像を表示可能な表示手段である。ＣＲＴディスプレイ２６の表示画面３０は下方向に向けられていて、その表示内容は、上段１８と中段２０との間の中空な境界面３２を通して、中段２０のハーフミラー３４に投影される。デジタルカメラ２４と利用者１４との間に配置された傾斜したハーフミラー３４によれば、ＣＲＴディスプレイ２６および撮影室１２からの光の一部は相互に反射される。
【００２１】
撮影室１２からの光の一部は透過してデジタルカメラ２４に向かうが、デジタルカメラ２４側からの光は遮断され、撮影室１２に届かない。したがって、利用者１４は、ガラス窓３５を通してハーフミラー３４上の投影内容を確認できるが、デジタルカメラ２４は利用者１４からは見えない。しかし、撮影室１２からハーフミラー３４を透過してデジタルカメラ２４に到達する光によって、デジタルカメラ２４は利用者１４の画像を撮影可能である。
【００２２】
撮影室１２の床面には、顔画像の静止画像の取得を指示するフットボタン３７が設けられており、利用者１４が足でフットボタン３７を押下げることにより、顔画像の静止画像が取得され、このときに顔画像取得の信号が発生する。このように、フットボタン３７は、顔画像取得手段として機能するものである。
【００２３】
下段２２には、生体情報取得手段である指紋取得部４０と、操作用のタッチパネル４１と、カードライタ４２と、プリンタ４３と、モデム４４とが設けられている。指紋取得部４０と、操作用のタッチパネル４１と、カードライタ４２と、プリンタ４３と、モデム４４とはコントローラ３３に接続されている。なお、指紋取得部４０と、操作用のタッチパネル４１と、カードライタ４２とは、机部２１に収容されている。
【００２４】
図３に指紋取得部４０の概略構成を示す。指紋取得部４０は、利用者１４の指１３の指紋面を接触させるプリズム１４１と、プリズム１４１に接触している指紋面に光を照射するための光源１４２と、指紋面からの反射光を分岐する光分岐部材１４３と、分岐後の一方の光路に配置された検出部１４４と、分岐後の他方の光路に配置されて指紋を撮像する指紋スキャナ１４５とを備える。
【００２５】
プリズム１４１は、一側面が直角二等辺三角形状の三角柱であり、図３に示すようにその斜辺に相当する面が指紋面を接触させる面となる。また、光源１４２からプリズム１４１への入射光、およびプリズム１４１から光分岐部材１４３への出射光は、この斜辺と４５度の角度をなすように配置されている。光源１４２は例えば発光ダイオード等により構成される。光分岐部材１４３は、例えばハーフミラー等により構成される。
【００２６】
検出部１４４は、例えばフォトダイオード等の受光素子により構成され、利用者１４の指１３が指紋取得可能な状態で指紋取得部４０に配置されているか否かの位置検出をするものである。利用者１４の指１３がプリズム１４１に配置されているか否かにより、検出部１４４への入射光量が異なるため、検出部１４４の受光素子の出力に基づき指１３が指紋取得部４０に配置されているか否かを検出する。
【００２７】
図４（Ａ）は検出部１４４の受光素子の出力の時間変化を例示する図である。検出部１４４は、出力が所定の閾値の範囲Δ内にあるときは指１３が指紋取得可能な状態で指紋取得部４０に配置されているＯＮ状態であり、出力が所定の閾値の範囲Δ外にあるときは指１３が指紋取得可能な状態で指紋取得部４０に配置されていないＯＦＦ状態であると検出する。図４（Ｂ）は図４（Ａ）の出力に応じて位置検出された結果を示す図であり、図４（Ｂ）のＯＮおよびＯＦＦは上述のＯＮ状態およびＯＦＦ状態を意味する。閾値の範囲Δは、予め固定値を設定しておいてもよく、あるいは最高出力に対する所定の割合の出力のように変動的に設定してもよい。検出部１４４の位置検出結果の出力は常にコントローラ３３に出力される。
【００２８】
指紋スキャナ１４５は、複数の受光素子が列状に配置されてなるラインセンサ等から構成され、受光素子の配列方向に直交する方向に移動可能であり、この移動によって２次元的な画像の撮像を行い、指紋データを取得する。指紋スキャナ１４５により指紋データが取得されると、スキャンＯＫの信号が発生し、コントローラ３３に出力される。また、指紋スキャナ１４５によって撮像された指紋データもコントローラ３３に出力される。
【００２９】
タッチパネル４１は、利用者１４の操作に基づく信号をコントローラ３３に出力する装置である。タッチパネル４１は、利用者の名前や、住民票コード番号あるいはパスポート番号等の個人情報を入力する情報入力画面と、利用者による操作を入力する操作入力画面とを切り換えて表示可能である。情報入力画面では、キーボードが表示され、操作入力画面では、処理の続行を確認する確認ボタンや、選択的処理についてその処理を選択させる選択ボタン等が表示される。
【００３０】
カードライタ４２は、利用者１４の持参する記録媒体５１用の挿入口５２を有し、挿入された媒体に書き込み可能な装置である。記録媒体５１としては、フレキシブルディスク、スマートメディア（登録商標）、コンパクトフラッシュ（登録商標）、メモリースティック（登録商標）、ＳＤ（Ｓｅｃｕｒｅ  Ｄｉｇｉｔａｌ）メモリカード（登録商標）、ｘＤ（Ｅｘｔｒｅｍｅ  Ｄｉｇｉｔａｌ）ピクチャーカード（登録商標）等を用いることができる。カードライタ４２は、カメラ２４によって撮影された顔のデジタル画像データおよび指紋取得部４０により取得された指紋データを、記録媒体５１に書き込む。
【００３１】
プリンタ４３は、デジタルカメラ２４の撮影した画像を写真としてプリント可能である。プリントされた写真は、排出口５３から排出される。モデム４４は、利用者が希望する場合には、利用者の顔のデジタル画像データまた指紋データを通信回線６２を介して所定の拠点、例えば管理センター６６へ転送する転送手段である。
【００３２】
コントローラ３３では、顔画像、指紋データ、利用者の個人情報を対応付けて保存する。コントローラ３３では、これらにさらに、画像取得装置１０の固有識別番号、撮影日時データを対応付けて、保存することもできる。また、コントローラ３３で、上記の対応付けがされたデータを、モデム４４および通信回線６２を介して遠方の管理センター６６に送信することもできる。
【００３３】
なお、図１では図示の便宜上、装置１０の上段１８、中段２０および下段２２の内部を可視化して示しているが、実際は、タッチパネル４１、カードライタ４２の挿入口５２およびプリンタ４３の排出口５３以外は、壁によって隠されていて、利用者１４からは見えない。また、下段２２は、実際はさらに、料金投入口や返金口などの機構も備えているが、これらは図示を省略している。
【００３４】
装置１０の側壁７１には、利用者１４を継続的に撮影する監視用カメラ７４が備えられている。この監視用カメラ７４は、レンズの画角が広く、利用者の手と顔を同時かつともに撮影した監視画像を取得することができる。なお、監視カメラ７４は、指紋取得部４０の真横から１０ｃｍほど上の側壁７１に、指紋取得部４０と利用者の顔を撮影できるような配置で取り付けられている。監視用カメラ７４で撮影された監視画像は、コントローラ３３に出力される。
【００３５】
図５は図１のデジタルカメラ２４およびコントローラ３３の機能ブロック図である。光学レンズ８０は被写体である利用者１４からの光を受けて被写体像を撮像部８１の受光面へ結像する。撮像部８１としては、例えば、ＣＣＤ（Ｃｈａｒｇｅ  Ｃｏｕｐｌｅｄ  Ｄｅｖｉｃｅ）を使用可能である。撮像部８１で光電変換された画像信号はビデオ出力部８３に出力される。
【００３６】
ビデオ出力部８３は、通常、撮像部８１からの画像信号をそのまま出力端子を介してＣＲＴディスプレイ２６に送る。したがって、利用者１４の動画像は、デジタルカメラ２４に取り込まれて出力され、ＣＲＴディスプレイ２６に表示され、ハーフミラー３４によって反射されて利用者１４へ帰還する。このように動画像をそのまま利用者へ帰還させることを、以下、ビデオスルーと称する。利用者１４は、撮影前は、ビデオスルーにより、帰還した自己の動画像をリアルタイムに見ることができる。
【００３７】
撮像部８１から出力される画像信号は、Ａ／Ｄ変換器（Ａｎａｌｏｇｕｅ／Ｄｉｇｉｔａｌ  Ｃｏｎｖｅｒｔｅｒ；  ＡＤＣ）８２にも出力可能である。顔画像の撮影時には、Ａ／Ｄ変換器８２は、アナログ信号である画像信号をデジタル画像信号に変換し、メモリ８４へ保存する。
【００３８】
ＣＰＵ（Ｃｅｎｔｒａｌ  Ｐｒｏｃｅｓｓｉｎｇ  Ｕｎｉｔ）８５は、Ａ／Ｄ変換器８２、メモリ８４およびＤ／Ａ変換機（Ｄｉｇｉｔａｌ／Ａｎａｌｏｇｕｅ  Ｃｏｎｖｅｒｔｅｒ；  ＤＡＣ）８６に接続され、これらのユニットを制御する。撮影時には、ＣＰＵ８５は、Ａ／Ｄ変換器８２へ変換命令を発信し、動画像信号を１フレーム単位でＡ／Ｄ変換させる。ＣＰＵ８５は、デジタル化されメモリ８４に記録されたデジタル画像信号を取り込み、様々な画像処理を行って、メモリ８４に再格納することが可能である。
【００３９】
ＣＰＵ８５は、本発明の判定手段および制御手段として機能するものである。ＣＰＵ８５は、指紋データまたは顔画像の一方が取得されてから、指紋データまたは顔画像の他方が取得されるまでの間、利用者１４の指１３が、指紋取得可能な状態で指紋取得部４０に配置されているか否かを判定する判定部８８を備える。判定部８８には、指紋取得部４０の検出部１４４からの位置検出結果を表す信号が常に出力されている。また、判定部８８には、指紋データを取得した時のスキャンＯＫの信号、および顔画像を取得した時の顔画像取得の信号が出力される。
【００４０】
判定部８８は、スキャンＯＫの信号または顔画像取得の信号の一方が入力された時にこの信号をトリガーとして、検出部１４４からの位置検出結果をモニタする動作を開始する。このモニタ動作は、少なくともスキャンＯＫの信号または顔画像取得の信号の他方が入力されるまでの間継続される。そして、この間継続して位置検出結果がＯＮ状態であれば、判定部８８は指が継続して指紋取得部４０に配置されていたと判定し、ＣＰＵ８５は取得された指紋データおよび顔画像を真正の指紋データおよび顔画像としてメモリ８４へ保存する。あるいは、この間継続して位置検出結果がＯＮ状態でなければ、すなわち一度、数秒でもＯＦＦ状態があれば、判定部８８は指が継続して指紋取得部４０に配置されていなかったと判定し、ＣＰＵ８５は取得された指紋データおよび顔画像は保存せず、再取得を促すように指示を出す。
【００４１】
また、ＣＰＵ８５は、デジタルカメラ２４で撮影後画像処理されて取得された指紋データが個人認証に利用可能な指紋データであるか否かを判定し、利用可能なデータであると判定したときには、その指紋データをメモリ８４へ指紋データとして保存する。
【００４２】
さらに、ＣＰＵ８５は、デジタルカメラ２４で取得された利用者１４の顔画像および指紋データに、タッチパネル４１から入力された個人情報データ、例えば、利用者の名前や、住民票コード番号あるいはパスポート番号等を対応付ける。また、ＣＰＵ８５は、画像取得装置１０の固有識別番号および撮影日時データも対応付ける。
【００４３】
対応付けはあらゆる方法で行ってよく、例えば個人情報データを用いて顔画像に名前を付けることができる。あるいはテキストデータをデジタル画像データのヘッダ部分に記録して、一体的に扱い、メモリ８４に格納してもよい。このようにしてデジタル画像データに対応付けられた個人情報データによって、「誰に帰属するデータか」の識別が可能なデジタル画像データを作成することができる。
【００４４】
ＣＰＵ８５は、画像処理を行ったデジタル静止画像を出力し、Ｄ／Ａ変換機８６によりＤ／Ａ変換を行ってビデオ出力部８３に送ることができる。このとき、ビデオ出力部８３を制御し、ビデオスルーされているアナログ動画像信号に代えて、アナログ化された静止画像信号出力させることができる。これにより、撮影され、画像処理が施された静止画像を利用者に示すことができる。また、アナログ静止画像信号および動画像信号はカラーおよび白黒のいずれの形式でも出力することができる。
【００４５】
ＣＰＵ８５は、画像処理を施した撮影画像を自由にレイアウトしてＣＲＴディスプレイ２６に表示させることができる。また、画像の出力とともに、メモリ８４に予め用意された複数の静止画像をコマ送りに表示して簡単なアニメーションをＣＲＴディスプレイ２６に表示させることもできる。さらに、ビデオ出力部８３を介した自由なグラフィック出力が可能であり、利用者１４に対するメッセージをＣＲＴディスプレイ２６に表示させることができる。
【００４６】
ＣＰＵ８５はスピーカ２９にも接続され、予め用意された音声信号をスピーカ２９へ出力し、各動作に適合した操作指示を利用者１４に対して音声で指示可能である。
【００４７】
ＣＰＵ８５はプリンタ４３およびタッチパネル４１にも接続されている。画像処理を施された静止画像は、ＣＰＵ８５から、プリント命令とともにプリンタ４３へ出力することにより、写真としてプリント可能である。また、ＣＰＵ８５はタッチパネル４１からの操作命令を受信し、利用者１４の操作に従った処理を行う。
【００４８】
ＣＰＵ８５はさらに、ＲＯＭ（Ｒｅａｄ  Ｏｎｌｙ  Ｍｅｍｏｒｙ）８７に接続されている。ＲＯＭ８７は、少なくとも、複数の画像処理プログラムと、証明写真の要求仕様と、指紋認証の要求仕様とを記録する。証明写真の要求仕様は、少なくとも、プリントすべき写真のサイズ、および当該写真における頭部の大きさおよび位置に関する情報を含む。指紋認証の要求仕様は、少なくとも、指紋データを取得する指、および指紋認証に必要な特徴点に関する情報を含む。ＣＰＵ８５は、ＲＯＭ８７にアクセスし、各種プログラムと写真の要求仕様とを、適宜読み込み、メモリ８４から取り込んだ静止顔画像に対して、要求仕様に適合した写真を作成するための画像処理、および指紋データを取得するための画像処理を行う。
【００４９】
次に、図６〜図９を参照しながら画像取得装置１０の動作例について説明する。図６は画像取得装置１０の動作を説明するフローチャートである。図７、図８および図９は画像取得装置１０の動作を説明するタイミングチャートである。図７、図８および図９において、（１）は検出部１４４の位置検出結果、すなわち、指１３が指紋取得可能な状態で指紋取得部４０に配置されているＯＮ状態か、指１３が指紋取得可能な状態で指紋取得部４０に配置されていないＯＦＦ状態かを示すものであり、（２）は指紋スキャナ１４５の指紋データ取得のための移動動作を示すものであり、（３）は指紋スキャナ１４５で指紋データが取得されたとき発生するスキャンＯＫの信号を示すものであり、（４）は判定部８８でモニタした検出部１４４の位置検出結果を示すものであり、（５）はフットボタン３７を押し下げて顔画像が取得されたとき発生する顔画像取得の信号を示すものである。
【００５０】
本実施の形態の動作はすべて、スピーカ２９の音声メッセージに促されて行われる。利用者１４は、まず料金を投入する（ステップ１００）。これにより画像取得装置１０が起動する。次に記録媒体５１をカードライタ４２の挿入口５２へ挿入する（ステップ１０１）。その後情報入力画面（キーボード）が表示されているタッチパネル４１から氏名、住民票コードなどの個人情報を入力する（ステップ１０２）。
【００５１】
デジタルカメラ２４で撮像している利用者の顔の動画像が、ビデオスルーによりＣＲＴディスプレイ２６に表示される（ステップ１０３）。利用者１４は、指紋を取得できるように、指１３を指紋取得部４０のプリズム１４１面に配置する（ステップ１０４）。指１３が指紋取得部４０に配置されると、検出部１４４へ入射する光量変化により検出部１４４は指１３が配置されたことを検出し、検出部１４４は位置検出動作を開始する（ステップ１０５）。この位置検出動作では、図４を用いて説明したように、受光素子の出力に基づき、指１３が指紋取得可能な状態で指紋取得部４０に配置されているＯＮ状態か、指１３が指紋取得可能な状態で指紋取得部４０に配置されていないＯＦＦ状態かを検出する。この位置検出動作は、指１３のプリズム１４１面への配置が検出されてから所定時間、またはＯＮ状態と検出されてから所定時間継続される。
【００５２】
検出部１４４で指１３が配置されたことが検出されると、指紋スキャナ１４５が移動動作を開始し、これにより指紋データが取得される。一方、利用者１４がフットボタン３７を押し下げることにより、顔画像が取得される。本実施形態における画像取得装置１０では、指紋データおよび顔画像を同時に取得する必要はなく、また、取得する順番に制約もない。指紋データおよび顔画像のいずれを先に取得するかは、指紋スキャナ１４５の移動とフットボタン３７の押し下げのタイミングに依存する。指紋データおよび顔画像のいずれか一方が取得されると（ステップ１０６）、判定部８８では検出部１４４から出力される信号に基づき、位置検出結果のモニタを開始する（ステップ１０７）。その後、指紋データおよび顔画像の他方が取得されると（ステップ１０８）、判定部８８ではこれら２つのデータが取得される間、継続してＯＮ状態であったか否かを判定する（ステップ１０９）。
【００５３】
ここで、ステップ１０６〜ステップ１０９の動作について、各場合に分けて、タイミングチャートを参照しながら詳しく説明する。図７のタイミングチャートは指紋データを顔画像よりも先に取得した場合の例を示すものである。指紋スキャナ１４５により時間Ｔ１に指紋データを取得すると（ステップ１０６）、図７（３）に示すようにスキャンＯＫの信号Ｓ１が発生し、この信号Ｓ１をトリガー信号として、判定部８８は図７（４）に示すように検出部１４４から送信された信号を読み込んで位置検出結果のモニタを開始する（ステップ１０７）。
【００５４】
その後、時間Ｔ２に、利用者１４のフットボタン３７押し下げにより、顔画像が取得される（ステップ１０８）。このフットボタン３７の押し下げにより図７（５）に示すように短パルスの顔画像取得の信号Ｓ２が生成され、判定部８８へ出力される。判定部８８では、時間Ｔ１から時間Ｔ２までの間、継続してＯＮ状態が維持されていたか否かを判定する（ステップ１０９）。図７（４）に示すように、継続してＯＮ状態であった場合は、利用者１４の手が継続して指紋取得部４０に配置されていたと判定され、次のステップに進む。
【００５５】
図８に示す例は、図７に示す例同様、時間Ｔ１に指紋データを取得し、時間Ｔ２に顔画像を取得した場合であるが、図８（１）および図８（４）に示すように時間Ｔ１から時間Ｔ２の間にＯＦＦ状態が発生した点のみ図７に示す例と異なる。この場合は、判定部８８での判定結果は、時間Ｔ１から時間Ｔ２までの間、継続しては利用者１４の手が配置されていなかったと判定され、ステップ１０６へ戻り、指紋データおよび顔画像の両方の再取得を促す。
【００５６】
図９のタイミングチャートは、顔画像を指紋データよりも先に取得した場合の例を示すものである。時間Ｔ３にフットボタン３７の押し下げにより顔画像が取得され、このとき図９（５）に示すように短パルスの顔画像取得の信号Ｓ３が発生する。この信号Ｓ３をトリガー信号として、判定部８８は図９（４）に示すように検出部１４４から送信された信号を読み込んで位置検出結果のモニタを開始する（ステップ１０７）。
【００５７】
その後、指紋スキャナ１４５の移動により、時間Ｔ４に指紋データが取得され（ステップ１０８）、図９（３）に示すように、スキャンＯＫの信号Ｓ４が発生する。判定部８８では、時間Ｔ３から時間Ｔ４までの間、継続してＯＮ状態が維持されていたか否かを判定する（ステップ１０９）。図９（４）に示すように、継続してＯＮ状態であった場合は、利用者１４の手が継続して配置されていたと判定され次のステップに進む。なお、図示されていないが、この場合も時間Ｔ３から時間Ｔ４までの間、継続しては利用者１４の手が配置されていなかったと判定された場合は、ステップ１０６へ戻り、指紋データおよび顔画像の両方の再取得を促す。
【００５８】
ステップ１０９で利用者１４の手が継続して配置されていたと判定された場合は、次に、取得された顔画像と指紋データが認証に利用可能なデータであるか否かを判定する（ステップ１１０）。認証に利用可能なデータではないと判定された場合には、ステップ１０６へ戻り、指紋データおよび顔画像の両方の再取得を促す。認証に利用可能なデータであると判定された場合には、取得された顔画像を表示する（ステップ１１１）。
【００５９】
そして、コントローラ３３は、顔画像、指紋データ、利用者の名前や、住民票コード番号あるいはパスポート番号等の個人情報、画像取得装置１０の固有識別番号、撮影日時データの情報を対応付ける（ステップ１１２）。また、取得された指紋データおよび顔画像を真正の指紋データおよび顔画像としてメモリ８４へ保存し（ステップ１１３）、カードライタ４２の挿入口５２に挿入されている記録媒体５１へ、ステップ１１２で対応付けされた上記情報を書き込む。
【００６０】
以上の説明で明らかなように、本実施形態である画像取得装置１０は、指紋データおよび顔画像のいずれか一方が取得されてから他方が取得されるまでの間、継続して利用者の手が指紋取得部に配置されていたときのみ、取得された指紋データおよび顔画像を真正の指紋データおよび顔画像として保存するようにしているため、指紋データおよび顔画像取得時のすりかわりを確実に防止できる。
【００６１】
次に、本発明の第２の実施形態による画像取得装置および方法について説明する。第２の実施形態による画像取得装置および方法は、上記の第１の実施形態のＣＰＵ８５および判定部８８の機能が異なるだけであるため、以下では主に第１の実施形態との相違点のみ説明し、その他の説明は省略する。
【００６２】
本実施形態における判定部８８は、利用者１４の指１３が、指紋取得可能な状態で指紋取得部４０に配置されているか否かを判定する。そして、ＣＰＵ８５は、前記判定において、配置されていると判定された期間のみ、利用者１４の顔画像の取得を許可する制御手段として機能する。具体的には例えば、ＣＰＵ８５は、前記判定において、配置されていると判定された期間のみ顔画像取得手段であるフットボタン３７を作動可能にし、配置されていないと判定された期間は、フットボタン３７はロックされて押し下げられないように制御する。
【００６３】
また、ＣＰＵ８５は、前記判定において、配置されていないと判定されたときには、配置されていないときの直前の継続して配置されていた期間に利用者１４の顔画像および利用者１４の指紋データが取得されていたか否かを判定し、利用者１４の顔画像および利用者１４の指紋データの両方が揃って取得されていないと判定されたときには、利用者１４の顔画像および利用者１４の指紋データのいずれか一方が取得されていても該一方を無効化する。
【００６４】
次に、図１０および図１１を参照しながら本実施形態の動作例について説明する。図１０は本実施形態の動作を説明するフローチャートであり、図１１は本実施形態の動作を説明するタイミングチャートである。図１１における（１）〜（５）が示すものは第１の実施形態の図７〜図９で説明したものと同様である。
【００６５】
本実施の形態における動作はすべて、スピーカ２９の音声メッセージに促されて行われる。利用者１４は、まず料金を投入する（ステップ２００）。これにより画像取得装置１０が起動する。次に記録媒体５１をカードライター４２の挿入口５２へ挿入する（ステップ２０１）。その後情報入力画面（キーボード）が表示されているタッチパネル４１から氏名、住民票コードなどの個人情報を入力する（ステップ２０２）。
【００６６】
デジタルカメラ２４で撮像している利用者の顔の動画像が、ビデオスルーによりＣＲＴディスプレイ２６に表示される（ステップ２０３）。利用者１４は、指紋を取得できるように、指１３を指紋取得部４０のプリズム１４１面に配置する（ステップ２０４）。検出部１４４は位置検出動作を開始する（ステップ２０５）。この位置検出動作では、図４を用いて説明したように、受光素子の出力に基づき、指１３が指紋取得可能な状態で指紋取得部４０に配置されているＯＮ状態か、指１３が指紋取得可能な状態で指紋取得部４０に配置されていないＯＦＦ状態かを検出する。
【００６７】
検出部１４４からの信号により、判定部８８では、手が配置されているか否か、すなわち、指１３が指紋取得可能な状態で指紋取得部４０に配置されているか否かを判定する（ステップ２０６）。なお、本実施形態においては、判定部８８における上記判定は、検出部１４４からの信号が入力されている間は常に行われている。
【００６８】
ＣＰＵ８５は、判定部８８の判定において、手が配置されていると判定された期間のみ、顔画像の取得を許可し、フットボタン３７を作動可能にする（ステップ２０７）。なお、このときに、音声メッセージや、ランプ等で顔画像の取得が可能であることを利用者１４に対して表示するようにしてもよい。顔画像の取得が許可されている間に、利用者１４はフットボタン３７を押し下げて顔画像を取得する（ステップ２０８）。次に、指紋スキャナ１４５の移動動作により、指紋データが取得される（ステップ２０９）。
【００６９】
次に、取得された顔画像と指紋データが認証に利用可能なデータであるか否かを判定する（ステップ２１０）。認証に利用可能なデータではないと判定された場合には、ステップ２０６へ戻り、利用者１４へは指紋データおよび顔画像の両方の再取得を促す。認証に利用可能なデータであると判定された場合には、取得された顔画像を表示する（ステップ２１１）。
【００７０】
そして、コントローラ３３は、顔画像、指紋データ、利用者の名前や、住民票コード番号あるいはパスポート番号等の個人情報、画像取得装置１０の固有識別番号、撮影日時データの情報を対応付ける（ステップ２１２）。また、取得された指紋データおよび顔画像を真正の指紋データおよび顔画像としてメモリ８４へ保存し（ステップ２１３）、カードライタ４２の挿入口５２に挿入されている記録媒体５１へ、ステップ２１２で対応付けされた上記情報を書き込む。
【００７１】
なお、ステップ２０６で利用者１４の手が配置されていないと判定された場合は、ＣＰＵ８５は、配置されていないときの直前の継続して配置されていた期間に利用者１４の顔画像および利用者１４の指紋データの両方が取得されていたか否かを判定する（ステップ２１４）。そして、顔画像および利用者１４の指紋データの両方が揃って取得されていた場合にはステップ２１０に進み、顔画像および利用者１４の指紋データの両方が揃って取得されていない場合には、顔画像および指紋データのいずれか一方が取得されていたかどうかを判定する（ステップ２１５）。顔画像および指紋データのいずれか一方が取得されていない場合には、ステップ２０６に戻り、顔画像および指紋データのいずれか一方が取得されていた場合には、取得済みの顔画像または指紋データを無効化し（ステップ２１６）、ステップ２０６に戻る。
【００７２】
ここで、本実施形態の主要部であるステップ２０６〜ステップ２０９、ステップ２１４〜ステップ２１６の動作について、図１１のタイミングチャートを参照しながらさらに説明する。図１１に示す例では、図１１（４）からわかるように、時間Ｔ５〜Ｔ６，時間Ｔ７〜Ｔ８が、手が配置されていたと判定された期間であり、この期間のみ顔画像の取得が可能になる。本例では、顔画像取得の信号Ｓ５および指紋データ取得の信号Ｓ６で表されるように、時間Ｔ５〜Ｔ６の期間に顔画像および指紋データが取得されており、これらはステップ２１０において利用可能であると判定された場合には、真正の顔画像および指紋データとして保存される。
【００７３】
また、図１１に示す例において、時間Ｔ６〜Ｔ７、時間Ｔ８以降は手が配置されていないと判定された期間である。これらの期間では、ステップ２１４で説明したように、直前の継続して手が配置されていた期間に利用者１４の顔画像および利用者１４の指紋データの両方が取得されていたか否かが判定される。例えば、時間Ｔ８以降において、この判定が行われると、時間Ｔ８の直前の継続して手が配置されていた期間である時間Ｔ６〜Ｔ７に取得した顔画像または指紋データについて判定する。時間Ｔ６〜Ｔ７の期間には、信号Ｓ７で示される顔画像のみが取得されており、指紋データは取得されていないため、ステップ２１４〜２１６で説明したように、信号Ｓ７で示される顔画像は無効化される。
【００７４】
以上の説明で明らかなように、本実施形態においては、利用者１４の手が指紋取得部に配置されているか否かを判定し、配置されていると判定された期間のみ、顔画像の取得を許可するようにしているため、顔画像の取得時は、必ず利用者の手は指紋取得部に対して継続して拘束された状態にあり、利用者がすりかわることを防止できる。
【００７５】
なお、上記第２の実施形態では、手が指紋取得部４０に配置されていると判定された期間に利用者１４の顔画像の取得を許可する例について説明したが、変形例として、この期間に顔画像および指紋データの両方の取得を許可するようにしてもよい。この場合は例えばＣＰＵ８５により、手が指紋取得部４０に配置されていると判定された期間のみ、フットボタン３７および指紋取得部４０の指紋スキャナ１４５が作動可能となるように制御する。上記第２の実施形態および上記変形例いずれの場合も、顔画像と指紋データを同時に取得するようにしてもよく、あるいは、顔画像と指紋データを前後して取得するようにしてもよい。
【００７６】
また、上記例では、省電力化を図るため、指１３が指紋取得部４０に配置されたときに検出部１４４の位置検出動作が開始するようにしたが、検出部１４４の位置検出動作は、画像取得装置１０の起動後、作動中は常に行うようにしてもよい。
【００７７】
また、保存する生体情報は、例えば生体情報が指紋である場合には、指紋の画像であってもよいし、あるいは指紋の特徴点であってもよく、すなわち、生体認証に利用可能な形態であれば、いかなる形態の生体情報であってもよい。
【００７８】
さらに、指紋取得部４０の構成は上記例に限定されるものではなく、同様の機能を有するものであれば種々の構成が可能である。例えば、光源を指の下方に配置し、検出部を指の上方に配置する構成も可能である。
【００７９】
なお、利用者が希望する場合には、対応付けされた上記情報を通信回線６２を介して所定の拠点、例えば管理センター６６へ転送してもよいし、あるいはプリントアウトしてもよい。また、コントローラ３３は、対応付けされた上記情報を、所定期間保存してもよい。
【図面の簡単な説明】
【００８０】
【図１】本発明の第１の実施の形態による画像取得装置の概略構成図
【図２】図１に示す画像取得装置の外観図
【図３】図１に示す画像取得装置が備える指紋取得部の概略構成図
【図４】図１に示す画像取得装置が備える検出部の位置検出方法を説明する図
【図５】図１に示す画像取得装置の要部の機能ブロック図
【図６】図１に示す画像取得装置の動作を説明するフローチャート
【図７】図１に示す画像取得装置の動作を説明するタイミングチャート
【図８】図１に示す画像取得装置の動作を説明するタイミングチャート
【図９】図１に示す画像取得装置の動作を説明するタイミングチャート
【図１０】本発明の第２の実施の形態による画像取得装置の動作を説明するフローチャート
【図１１】本発明の第２の実施の形態による画像取得装置の動作を説明するタイミングチャート
【符号の説明】
【００８１】
１０    画像取得装置
１２    撮影室
１３    指
１４    利用者
１５    顔
１７    手
２４    デジタルカメラ
２６    ＣＲＴディスプレイ
３３    コントローラ
３７    フットボタン
４０    指紋取得部
４１    タッチパネル
４２    カードライタ
４３    プリンタ
４４    モデム
５３    排出口
６２    通信回線
６６    管理センター
８１    撮像部
８４    メモリ
８５    ＣＰＵ
８８    判定部
１４１    プリズム
１４２    光源
１４３    光分岐部材
１４４    検出部
１４５    指紋スキャナ
【図１】
2007323109.tif 000003
【図２】
2007323109.tif 000004
【図３】
2007323109.tif 000005
【図４】
2007323109.tif 000006
【図５】
2007323109.tif 000007
【図６】
2007323109.tif 000008
【図７】
2007323109.tif 000009
【図８】
2007323109.tif 000010
【図９】
2007323109.tif 000011
【図１０】
2007323109.tif 000012
【図１１】
2007323109.tif 000013